(57)【要約】【課題】  携帯端末機のＴＣＰ連結において、ウインドウの大きさを効率的に調節するためにタスクの優先順位を制御し、最適化された無線インターネットダウンロード性能を発揮し得る携帯端末機のパケット受信方法を提供すること。【解決手段】  端末機が無線区間に呼を設定してＰＤＳＮとのセッション及びサーバとのＴＣＰ連結を設定する段階と、前記ＴＣＰ連結の設定が終了されると、タスクの優先順位を変更してパケットを受信する段階と、所定量以上のパケットを受信するか、または所定水準以上にシグナル数が上昇すると、再びタスクの優先順位を変更して受信されたパケットを処理する段階と、から携帯端末機のパケット受信方法を構成する。【選択図】図１
2005080309.tif 000002
【特許請求の範囲】
【請求項１】
端末機が無線区間に呼を設定して、ＰＤＳＮ（Ｐａｃｋｅｔ  Ｄａｔａ  Ｓｅｒｖｉｎｇ  Ｎｏｄｅ）とのセッション及びサーバとの伝送制御プロトコル（Ｔｒａｎｓｍｉｓｓｉｏｎ  Ｃｏｎｔｒｏｌ  Ｐｒｏｔｏｃｏｌ：以下ＴＣＰという）連結を設定する段階と、
前記ＴＣＰ連結の設定が終了されると、タスクの優先順位を変更してパケットを受信する段階と、
所定量以上のパケットを受信するか、または所定水準以上にシグナル数が上昇すると、再びタスクの優先順位を変更して受信されたパケットを処理する段階と、
から構成されることを特徴とする携帯端末機のパケット受信方法。
【請求項２】
前記パケットは、
前記ＴＣＰ設定時に端末機から無線網に伝送された受信キュー（ｑｕｅｕｅ）の大きさだけ受信され、ＴＣＰ受信キューに保存されることを特徴とする請求項１記載の携帯端末機のパケット受信方法。
【請求項３】
前記受信キューは、
ＴＣＰ受信パケットが保存されるキューであって、パケットが端末機に受信されると、一旦受信キューに保存され、アプリケーションが読む動作を行う時に前記受信キューからパケットを読み込むことを特徴とする請求項２記載の携帯端末機のパケット受信方法。
【請求項４】
前記シグナル数は、
ＵＩタスクシグナルキューのシグナル数であることを特徴とする請求項１記載の携帯端末機のパケット受信方法。
【請求項５】
前記シグナルキューは、
各タスク間の通信のための信号が保存されるシグナル保存キューであって、ＵＩタスクが受信キューから有効パケットを読み出す等の適切な動作を行わせる信号を出力することを特徴とする請求項４記載の携帯端末機のパケット受信方法。
【請求項６】
前記パケット及びシグナル数は、
端末機の制御部がＴＣＰ受信キューに受信されるパケット及びＵＩタスクシグナルキューのシグナル数をモニターすることで、上位臨界値に到達するかどうかが判断されることを特徴とする請求項１記載の携帯端末機のパケット受信方法。
【請求項７】
前記タスクには、ＵＩ（Ｕｓｅｒ  Ｉｎｔｅｒｆａｃｅ）タスク、ＰＳ（Ｐｒｏｔｏｃｏｌ  Ｓｔａｃｋ）タスク、  Ｒｘ／Ｔｘ（Ｒｅｃｅｐｔｉｏｎ／Ｔｒａｎｓｍｉｓｓｉｏｎ）タスクがあり、タスクの優先順位は、最初、ＵＩタスクの優先順位がＰＳタスクの優先順位より高く設定されることを特徴とする請求項１記載の携帯端末機のパケット受信方法。
【請求項８】
前記タスクの優先順位は、
端末機とサーバとのＴＣＰ連結の設定が終了されると、ＰＳタスクの優先順位がＵＩタスクの優先順位より高く変更されて、パケットの受信が開始されることを特徴とする請求項１記載の携帯端末機のパケット受信方法。
【請求項９】
前記タスクの優先順位は、
端末機が所定量以上のパケットを受信するか、または所定水準以上にシグナル数が上昇すると、ＵＩタスクの優先順位がＰＳタスクの優先順位より高く変更され、パケットの受信を終了して受信されたパケットが処理されることを特徴とする請求項１記載の携帯端末機のパケット受信方法。
【請求項１０】
所定量以下のパケットを受信するか、または所定水準以下にシグナル数が下降すると、ＰＳタスクの優先順位がＵＩタスクの優先順位より高く変更されて、パケットの受信が再び開始される段階を更に含むことを特徴とする請求項１記載の携帯端末機のパケット受信方法。
【請求項１１】
前記パケット及びシグナル数は、
端末機の制御部がＴＣＰ受信キューに受信されるパケット及びＵＩタスクシグナルキューのシグナル数をモニターすることで、下位臨界値に到達するかどうかが判断されることを特徴とする請求項６記載の携帯端末機のパケット受信方法。
【請求項１２】
端末機が無線区間に呼を設定して、ＰＤＳＮとのＰＰＰ（Ｐｏｉｎｔ−ｔｏ−Ｐｏｉｎｔ  Ｐｒｏｔｏｃｏｌ）セッション及びサーバとのＴＣＰ連結を設定する段階と、
前記設定が終了されると、ＰＳタスクの優先順位をＵＩタスクより高く設定する段階と、
パケットデータがＴＣＰ受信キューに保存される段階と、
パケットやシグナル数が所定水準の上位臨界値に到達するかどうかを判断する段階と、
判断結果、前記パケットやシグナル数が上位臨界値に到達すると、ＰＳタスクの優先順位をＵＩより低く変更して、アプリケーションが保存された受信パケットを処理する段階と、から構成されることを特徴とする携帯端末機のパケット受信方法。
【請求項１３】
前記ＵＩタスクは、
最初、ＰＳタスクより高く設定されることを特徴とする請求項１２記載の携帯端末機のパケット受信方法。
【請求項１４】
前記パケット及びシグナル数は、
端末機の制御部がＴＣＰ受信キューに受信されるパケット及びＵＩタスクシグナルキューのシグナル数をモニターすることで、所定水準の上位臨界値に到達するかどうかが判断されることを特徴とする請求項１２記載の携帯端末機のパケット受信方法。
【請求項１５】
前記パケットやシグナル数が所定水準の下位臨界値に到達するかどうかを判断する段階を更に含むことを特徴とする請求項１２記載の携帯端末機のパケット受信方法。
【請求項１６】
前記パケット及びシグナル数は、
端末機の制御部がＴＣＰ受信キューに受信されるパケット及びＵＩタスクシグナルキューのシグナル数をモニターすることで、所定水準の下位臨界値に到達するかどうかが判断されることを特徴とする請求項１５記載の携帯端末機のパケット受信方法。
【請求項１７】
前記判断結果、
前記パケットやシグナル数が所定水準の下位臨界値に到達すると、ＰＳタスクの優先順位がＵＩタスクの優先順位より高く変更されて、パケットの受信を再び開始することを特徴とする請求項１５記載の携帯端末機のパケット受信方法。
【請求項１８】
ＵＩタスクの優先順位がＰＳタスクの優先順位より高く設定された端末により、無線区間に呼を設定してＰＤＳＮとＰＰＰセッションを設定する段階と、
端末機が受信しようとするデータを有するサーバとＴＣＰ連結を設定し、設定が終了されると、ＰＳタスクの優先順位をＵＩタスクより高く設定する段階と、
パケットデータがＴＣＰ設定時に伝送された受信キューの大きさだけ受信され、ＴＣＰ受信キューに保存される段階と、
端末機の制御部がＴＣＰ受信キューに受信されるパケット及びＵＩタスクシグナルキューのシグナル数をモニターし、所定水準の上位臨界値に到達するかどうかを判断する段階と、
判断結果、前記パケットやシグナル数が上位臨界値に到達すると、ＰＳタスクの優先順位をＵＩより低く変更して、アプリケーションが保存された受信パケットを処理する段階と、
前記パケット処理中にパケット及びシグナル数をモニターし、所定水準の下位臨界値に到達するかどうかを判断する段階と、
判断結果、前記パケットやシグナル数が下位臨界値に到達すると、ＰＳタスクの優先順位がＵＩタスクの優先順位より高く変更されて、パケットの受信を再び開始する段階と、から構成されることを特徴とする携帯端末機のパケット受信方法。
【発明の詳細な説明】
【技術分野】
【０００１】
本発明は、携帯端末機に係るもので、詳しくは、無線インターネットを通した無線網から携帯端末機へのパケット（ｐａｃｋｅｔ）受信性能を向上し得る携帯端末機のパケット受信方法に関するものである。
【背景技術】
【０００２】
伝送制御プロトコル（Ｔｒａｎｓｍｉｓｓｉｏｎ  Ｃｏｎｔｒｏｌ  Ｐｒｏｔｏｃｏｌ：以下ＴＣＰという）は、有線網に適用されるプロトコルであって、前記ＴＣＰが運営されるサーバ及びクライアントでは、充分な演算能力を備えたシステム、例えば、多重タスク（ｍｕｌｔｉ−ｔａｓｋ）または多重スレッド（ｍｕｌｔｉ−ｔｈｒｅａｄ）方式の運営体制であるウインドウ（ＷＩＮＤＯＷＳ（登録商標））やユニックス（ＵＮＩＸ（登録商標））システムが一般的に実現されている。
【０００３】
然し、無線網でＴＣＰクライアントとして使用される携帯端末機は、有線網で使用されるサーバやクライアントに比べて非常に低い演算能力を有するシステムである。前記携帯端末機の運営体制には、クアルコム（Ｑｕａｌｃｏｍｍ）で提供するソフトウェアに含まれたＲＥＸシステムが使用されるが、前記ＲＥＸシステムは、リアルタイム運営システム（Ｒｅａｌ−Ｔｉｍｅ  Ｏｐｅｒａｔｉｎｇ  Ｓｙｓｔｅｍ：ＲＴＯＳ）の一種であって、これも、有線網で使用される運営体制に比べて非常に単純な運営体制である。
【０００４】
従って、携帯端末機では、ＴＣＰで運営されるスライディングウインドウ方式の流れ制御を充分に活用することが困難である。前記スライディングウインドウ方式は、一度に多数のパケットを送ると、受信側が確かに受け取ったと連続的に応答するもので、もし送信側が受信側からパケットが損傷されたという応答を受けた場合、該当のパケットから再び伝送する方法である。
【０００５】
また、携帯端末機は、アプリケーションにより処理される前に受信できるパケット数を、ＴＣＰ設定の要請時に告知ウインドウ（ａｄｖｅｒｔｉｓｅｄ  ｗｉｎｄｏｗ）を通して無線網に伝達し、受信バッファーだけのパケットを受信するために待機するが、新しいパケットが受信される時ごとにアプリケーションが行われるため、ストップアンドウェイト（ｓｔｏｐ  ａｎｄ  ｗａｉｔ）方式で流れ制御が行われる。
【発明の開示】
【発明が解決しようとする課題】
【０００６】
しかし、前記ストップアンドウェイト方式は、パケットを一つ送って応答を受けた後、再びパケットを一つ送って応答を受ける方法であって、前記スライディングウインドウ方式よりリンク効率が遥かに低下するという不都合な点があった。
【０００７】
また、前記リンク効率が低下するストップアンドウェイト方式が使用されることで、無線網の支援帯域幅に大きく及ぼせない性能でデータが受信されるため、無線資源を効率的に活用できないという不都合な点があった。
【０００８】
本発明は、このような従来の課題に鑑みてなされたもので、携帯端末機のＴＣＰ連結において、ウインドウの大きさを効率的に調節するためにタスクの優先順位を制御し、最適化された無線インターネットダウンロード性能を発揮し得る携帯端末機のパケット受信方法を提供することを目的とする。
【課題を解決するための手段】
【０００９】
このような目的を達成するため、本発明に係る携帯端末機のパケット受信方法は、携帯端末機が無線区間に呼を設定して、ＰＤＳＮ（Ｐａｃｋｅｔ  Ｄａｔａ  Ｓｅｒｖｉｎｇ  Ｎｏｄｅ）とのセッション（Ｓｅｓｓｉｏｎ）及びサーバとのＴＣＰ連結を設定する過程と、前記設定が終了されると、タスクの優先順位を変更してパケットを受信する過程と、所定量以上のパケットを受信するか、または所定水準以上にシグナル数が上昇すると、再びタスクの優先順位を変更して受信されたパケットを処理する過程と、を含んで構成されることを特徴とする。
【００１０】
また、前記タスクの優先順位は、最初、ＵＩ＞ＰＳ（ＵＩタスクの優先順位がＰＳタスクの優先順位より高い）に設定し、端末とサーバとのＴＣＰ連結が設定されるとＵＩ＜ＰＳに変更され、受信したパケットが所定量以上になるか、またはシグナル数が所定水準以上になると再びＵＩ＞ＰＳに変更されることを特徴とする。
【００１１】
また、前記受信したパケット及びシグナル数が所定水準以下になると、タスクの優先順位が再びＵＩ＜ＰＳに変更されることを特徴とする。
【００１２】
本発明による方法は、端末機が無線区間に呼を設定して、ＰＤＳＮ（Ｐａｃｋｅｔ  Ｄａｔａ  Ｓｅｒｖｉｎｇ  Ｎｏｄｅ）とのセッション及びサーバとの伝送制御プロトコル（Ｔｒａｎｓｍｉｓｓｉｏｎ  Ｃｏｎｔｒｏｌ  Ｐｒｏｔｏｃｏｌ：以下ＴＣＰという）連結を設定する段階と、前記ＴＣＰ連結の設定が終了されると、タスクの優先順位を変更してパケットを受信する段階と、所定量以上のパケットを受信するか、または所定水準以上にシグナル数が上昇すると、再びタスクの優先順位を変更して受信されたパケットを処理する段階と、から構成されることを特徴とする携帯端末機のパケット受信方法であって、これにより、上記目的を達成する。
【００１３】
前記パケットは、前記ＴＣＰ設定時に端末機から無線網に伝送された受信キュー（ｑｕｅｕｅ）の大きさだけ受信され、ＴＣＰ受信キューに保存されてもよい。
【００１４】
前記受信キューは、ＴＣＰ受信パケットが保存されるキューであって、パケットが端末機に受信されると、一旦受信キューに保存され、アプリケーションが読む動作を行う時に前記受信キューからパケットを読み込まれてもよい。
【００１５】
前記シグナル数は、ＵＩタスクシグナルキューのシグナル数であってもよい。
【００１６】
前記シグナルキューは、各タスク間の通信のための信号が保存されるシグナル保存キューであって、ＵＩタスクが受信キューから有効パケットを読み出す等の適切な動作を行わせる信号を出力してもよい。
【００１７】
前記パケット及びシグナル数は、端末機の制御部がＴＣＰ受信キューに受信されるパケット及びＵＩタスクシグナルキューのシグナル数をモニターすることで、上位臨界値に到達するかどうかが判断されてもよい。
【００１８】
前記タスクには、ＵＩ（Ｕｓｅｒ  Ｉｎｔｅｒｆａｃｅ）タスク、ＰＳ（Ｐｒｏｔｏｃｏｌ  Ｓｔａｃｋ）タスク、  Ｒｘ／Ｔｘ（Ｒｅｃｅｐｔｉｏｎ／Ｔｒａｎｓｍｉｓｓｉｏｎ）タスクがあり、タスクの優先順位は、最初、ＵＩタスクの優先順位がＰＳタスクの優先順位より高く設定されてもよい。
【００１９】
前記タスクの優先順位は、端末機とサーバとのＴＣＰ連結の設定が終了されると、ＰＳタスクの優先順位がＵＩタスクの優先順位より高く変更されて、パケットの受信が開始されてもよい。
【００２０】
前記タスクの優先順位は、端末機が所定量以上のパケットを受信するか、または所定水準以上にシグナル数が上昇すると、ＵＩタスクの優先順位がＰＳタスクの優先順位より高く変更され、パケットの受信を終了して受信されたパケットが処理されてもよい。
【００２１】
所定量以下のパケットを受信するか、または所定水準以下にシグナル数が下降すると、ＰＳタスクの優先順位がＵＩタスクの優先順位より高く変更されて、パケットの受信が再び開始される段階を更に含まれてもよい。
【００２２】
前記パケット及びシグナル数は、端末機の制御部がＴＣＰ受信キューに受信されるパケット及びＵＩタスクシグナルキューのシグナル数をモニターすることで、下位臨界値に到達するかどうかが判断されてもよい。
【００２３】
本発明による方法は、端末機が無線区間に呼を設定して、ＰＤＳＮとのＰＰＰ（Ｐｏｉｎｔ−ｔｏ−Ｐｏｉｎｔ  Ｐｒｏｔｏｃｏｌ）セッション及びサーバとのＴＣＰ連結を設定する段階と、前記設定が終了されると、ＰＳタスクの優先順位をＵＩタスクより高く設定する段階と、パケットデータがＴＣＰ受信キューに保存される段階と、パケットやシグナル数が所定水準の上位臨界値に到達するかどうかを判断する段階と、判断結果、前記パケットやシグナル数が上位臨界値に到達すると、ＰＳタスクの優先順位をＵＩより低く変更して、アプリケーションが保存された受信パケットを処理する段階と、から構成されることを特徴とする携帯端末機のパケット受信方法であって、これにより、上記目的を達成する。
【００２４】
前記ＵＩタスクは、最初、ＰＳタスクより高く設定されてもよい。
【００２５】
前記パケット及びシグナル数は、端末機の制御部がＴＣＰ受信キューに受信されるパケット及びＵＩタスクシグナルキューのシグナル数をモニターすることで、所定水準の上位臨界値に到達するかどうかが判断されてもよい。
【００２６】
前記パケットやシグナル数が所定水準の下位臨界値に到達するかどうかを判断する段階を更に含むことを特徴としてもよい。
【００２７】
前記パケット及びシグナル数は、端末機の制御部がＴＣＰ受信キューに受信されるパケット及びＵＩタスクシグナルキューのシグナル数をモニターすることで、所定水準の下位臨界値に到達するかどうかが判断されてもよい。
【００２８】
前記判断結果、前記パケットやシグナル数が所定水準の下位臨界値に到達すると、ＰＳタスクの優先順位がＵＩタスクの優先順位より高く変更されて、パケットの受信を再び開始してもよい。
【００２９】
本発明による方法は、ＵＩタスクの優先順位がＰＳタスクの優先順位より高く設定された端末により、無線区間に呼を設定してＰＤＳＮとＰＰＰセッションを設定する段階と、端末機が受信しようとするデータを有するサーバとＴＣＰ連結を設定し、設定が終了されると、ＰＳタスクの優先順位をＵＩタスクより高く設定する段階と、パケットデータがＴＣＰ設定時に伝送された受信キューの大きさだけ受信され、ＴＣＰ受信キューに保存される段階と、端末機の制御部がＴＣＰ受信キューに受信されるパケット及びＵＩタスクシグナルキューのシグナル数をモニターし、所定水準の上位臨界値に到達するかどうかを判断する段階と、判断結果、前記パケットやシグナル数が上位臨界値に到達すると、ＰＳタスクの優先順位をＵＩより低く変更して、アプリケーションが保存された受信パケットを処理する段階と、前記パケット処理中にパケット及びシグナル数をモニターし、所定水準の下位臨界値に到達するかどうかを判断する段階と、判断結果、前記パケットやシグナル数が下位臨界値に到達すると、ＰＳタスクの優先順位がＵＩタスクの優先順位より高く変更されて、パケットの受信を再び開始する段階と、から構成されることを特徴とする携帯端末機のパケット受信方法であって、これにより、上記目的を達成する。
【発明の効果】
【００３０】
本発明に係る携帯端末機のパケット受信方法は、端末機に受信されるパケットの量と受信されたパケットの処理状態及び程度等によって各タスクの優先順位を調節することで、携帯端末機のＴＣＰ連結におけるウインドウの大きさを効率的に調節し、その結果、最適化された無線インターネットダウンロード性能を発揮し得るという効果がある。
【発明を実施するための最良の形態】
【００３１】
本発明は、携帯端末機のＴＣＰ連結における最適化された流れ制御のために、端末機の運営体制ソフトウェアの各モジュールが運営されるタスクの優先順位を制御する。前記タスクには、画面出力とキー入力処理及びＴＣＰのアプリケーションが行われるＵＩ（Ｕｓｅｒ  Ｉｎｔｅｒｆａｃｅ）タスクと、ＴＣＰ、ＩＰ（Ｉｎｔｅｒｎｅｔ  Ｐｒｏｔｏｃｏｌ）、ＰＰＰ（Ｐｏｉｎｔ−ｔｏ−Ｐｏｉｎｔ  Ｐｒｏｔｏｃｏｌ）などのプロトコルが行われるＰＳ（Ｐｒｏｔｏｃｏｌ  Ｓｔａｃｋ）タスクと、プロトコルデータ単位（Ｐｒｏｔｏｃｏｌ  Ｄａｔａ  Ｕｎｉｔ：ＰＤＵ）を無線網を通して基地局に伝送するか、または基地局から前記ＰＤＵを受信する  Ｒｘ／Ｔｘ  （Ｒｅｃｅｐｔｉｏｎ／Ｔｒａｎｓｍｉｓｓｉｏｎ）タスクがある。
【００３２】
以下、本発明の実施の形態に対し、図面に基づいて説明する。
【００３３】
図１は本発明に係る携帯端末機のパケット受信方法を示したフローチャートである。
【００３４】
図１に示したように、本発明に係る携帯端末機のパケット受信方法は、携帯端末機が無線区間に呼を設定して、ＰＤＳＮとのセッション及びサーバとのＴＣＰ連結を設定する過程（Ｓ１）と、前記設定が終了されると、タスクの優先順位を変更してパケットを受信する過程（Ｓ２）と、所定量以上のパケットを受信するか、または所定水準以上にシグナル数が上昇すると、再びタスクの優先順位を変更して受信されたパケットを処理する過程（Ｓ３）と、を含んで構成される。
【００３５】
前記タスクの優先順位は、最初、ＵＩタスクの優先順位がＰＳタスクの優先順位より高く設定されるが、端末とサーバとのＴＣＰ連結が設定されると、ＰＳタスクの優先順位がＵＩタスクの優先順位より高く変更されてパケットを受信及び保存し、受信したパケットが所定量以上になるか、またはシグナル数が所定水準以上になると、再びＵＩタスクの優先順位がＰＳタスクの優先順位より高く変更されて受信パケットを処理する。
【００３６】
前記受信したパケットが所定量以下になるか、またはシグナル数が所定水準以下になると、再びＰＳタスクの優先順位がＵＩタスクの優先順位より高く変更されてパケット受信を再開する。
【００３７】
図２は本発明に係る携帯端末機のパケット受信方法の実現過程を示したフローチャートである。
【００３８】
図２に示したように、まず、携帯端末機は、パケットを受信するために無線区間の呼を設定して、ＰＤＳＮとＰＰＰ（Ｐｏｉｎｔ−ｔｏ−Ｐｏｉｎｔ  Ｐｒｏｔｏｃｏｌ）セッションを設定する（Ｓ１０）。
【００３９】
最初、ＴＣＰを運営するＰＳタスクの優先順位は、アプリケーションが動作されるＵＩタスクより低く設定されている。
【００４０】
その後、端末機は、受信しようとするデータを有するサーバとＴＣＰ連結を設定し（Ｓ２０）、設定が終了されると、既に設定された優先順位を変更してＰＳタスクの優先順位をＵＩタスクより高く設定する（Ｓ３０）。
【００４１】
その後、ＴＣＰ設定時に伝送された受信キュー（Ｑｕｅｕｅ）の大きさだけ、即ち告知ウインドウの大きさだけのパケットが端末機に受信され、ＴＣＰ受信キューに保存される（Ｓ４０）。
【００４２】
このとき、端末の制御部は、ＴＣＰ受信キューに受信されるパケットをモニターし、所定水準の上位臨界値に到達するかどうかを判断する（Ｓ５０）。
【００４３】
前記受信キューは、ＴＣＰ受信パケットが保存されるキューであって、パケットが携帯端末機に受信される場合、受信されたパケットは一旦受信キューに保存され、アプリケーションが読む動作を行う時に前記受信キューに保存されたパケットを読み込む。
【００４４】
これと同時に、制御部は、ＵＩタスクシグナルキュー（ｓｉｇｎａｌ  Ｑｕｅｕｅ）のシグナル数をモニターし、既に保存された上位臨界値に到達するかどうかを判断する（Ｓ６０）。
【００４５】
前記シグナルキューは、各タスク間の通信のための信号が保存されるシグナル保存キューを意味し、一部の運営システム（ｏｐｅｒａｔｉｎｇ  ｓｙｓｔｅｍ：ＯＳ）では、メールボックス（ｍａｉｌｂｏｘ）ともいう。例えば、受信キューにパケットが受信されて保存されると、ＰＳタスクがＵＩタスクに信号を送ってこれを知らせ、ＵＩタスクは、該当のシグナルキューから受信した信号を確認して適切な動作、即ち、受信キューから有効パケットを読み出す等の動作をする。
【００４６】
その後、受信キューに保存される受信パケット数が上位臨界値に到達するか、またはＵＩタスクシグナルキューのシグナル数が上位臨界値に到達すると、ＰＳタスクの優先順位をＵＩより低く変更して、アプリケーションが保存された受信パケットを処理する（Ｓ７０）。
【００４７】
一方、前記段階（Ｓ７０）が行われる間にも、端末機の制御部は、ＴＣＰ受信キューに受信されるパケットを継続的にモニターして、所定水準の下位臨界値に到達するかどうかを判断し（Ｓ８０）、これと同時に、ＵＩタスクシグナルキューのシグナル数をモニターして、既に保存された下位臨界値に到達するかどうかを判断する（Ｓ９０）。
【００４８】
前記判断結果、受信パケット数が下位臨界値に到達するか、またはＵＩタスクシグナルキューのシグナル数が既に設定された下位臨界値に到達すると、再びＰＳタスクの優先順位をＵＩタスクより高く変更してパケット受信を再開することで、無線網でのＴＣＰの流れ制御がスライディングウインドウ方式で円滑に運営される。
【００４９】
なお、本発明は、図面に示された実施形態に基づいて説明されたが、これは例示的なものにすぎなく、本技術分野の通常の知識を有する者であれば、多様な変形及び均等な他の実施形態が可能であることを理解するはずである。従って、本発明の真の技術的保護範囲は、添付された特許請求の範囲の技術的思想によって定められるべきである。
【図面の簡単な説明】
【００５０】
【図１】本発明に係る携帯端末機のパケット受信方法を示したフローチャートである。
【図２】本発明に係る携帯端末機のパケット受信方法の実現過程を示したフローチャートである。
【図１】
2005080309.tif 000003
【図２】
2005080309.tif 000004